(57)【要約】  本明細書は、繊維状材料の凝集を定量化する方法を開示する。いくつかの実施例では、この方法を用いて、マスカラのような組成物が適用されたときの睫毛のようなケラチン性の材料の凝集を定量化することができる。
2015519954.tif 000002
【特許請求の範囲】
【請求項１】
睫毛の凝集を定量的に判定する方法であって、
それぞれの睫毛が根元とその反対側の先端とによって画定される長さを有する睫毛の配列を含む、睫毛基材を提供する工程と、
ある量のマスカラを睫毛に適用する工程と、
前記マスカラが適用された前記睫毛の像を撮影する工程と、
を含む、方法が、更に、
前記像の第１部分に配置された各睫毛の第１の個々の太さ測定値を得るために前記第１部分を解析する工程と、
前記像の第２部分に配置された各睫毛の第２の個々の太さ測定値を得るために前記第２部分を解析する工程と、
前記第１の個々の太さ測定値から第１の平均太さ測定値を得、前記第２の個々の太さ測定値から第２の平均太さ測定値を得る工程と、
第１及び第２の重み付けされた太さ値を生成するために前記第１及び第２の平均太さ測定値に重み付け関数を適用する工程と、
前記第１及び第２の平均太さ測定値から重み付けされた平均太さ値を得て、睫毛凝集の定量的判定を提供する工程と、を含む、方法。
【請求項２】
前記重み付け関数がＹ＝０．０６７５ｘ2−２３．７５ｘ＋２２５であり、式中、Ｙは前記重み付けされた太さ値であり、ｘは前記平均太さ測定値である、請求項１に記載の方法。
【請求項３】
黒領域が前記睫毛に対応する白領域と黒領域を含む白黒二進像に前記像が変換される、請求項１又は２に記載の方法。
【請求項４】
少なくとも７メガピクセルの解像度でデジタル一眼レフカメラを用いて前記像を撮影する、請求項１〜３のいずれか一項に記載の方法。
【請求項５】
前記第１部分及び第２部分の少なくとも一方が、前記睫毛の全配列にわたって延在する、請求項１〜４のいずれか一項に記載の方法。
【請求項６】
既定間隔で前記睫毛の全長に沿って延在する１つ以上の追加の部分を更に含む、請求項１〜５のいずれか一項に記載の方法。
【請求項７】
前記像の第１部分及び第２部分が、１〜５画素の間の高さを有するバーコード像であり、１画素が１０．４マイクロメートルを表すように空間的に較正される、請求項１〜６のいずれか一項に記載の方法。
【請求項８】
前記バーコード像を解析して各黒領域の太さを判定する、請求項７に記載の方法。
【請求項９】
前記第１部分及び第２部分が、既定量で離間配置されている、請求項１〜８のいずれか一項に記載の方法。
【請求項１０】
前記既定量が１〜１０画素の間であり、１画素が１０．４マイクロメートルを表すように空間的に較正される、請求項９に記載の方法。
【請求項１１】
１〜１０ストロークを用いて前記マスカラを適用する、請求項１〜１０のいずれか一項に記載の方法。
【請求項１２】
１ストローク又は第１のストローク数で第１の重み付けされた平均太さ値を判定し、第２のストローク数で第２の重み付けされた平均太さ値を判定し、前記第１のストローク数は前記第２のストローク数より少ない、請求項１１に記載の方法。
【請求項１３】
マスカラ製品のダンプ・アンド・フィックス凝集プロファイルを得るために前記第１の重み付けされた平均太さ値を第２の重み付けされた平均太さ値と比較する、請求項１２に記載の方法。
【請求項１４】
前記睫毛基材を再配置テンプレートと接合する工程を更に含む、請求項１〜１３のいずれか一項に記載の方法。
【請求項１５】
前記再配置テンプレートをターゲットイメージエリアに配置する工程を更に含む、請求項１４に記載の方法。
【発明の詳細な説明】
【技術分野】
【０００１】
本願は、広くは、繊維材料の凝集を定量化するための方法を目的とする。具体的には、本明細書は、マスカラのような組成物を適用したときの睫毛のようなケラチン性材料の凝集を定量化する方法を開示する。
【背景技術】
【０００２】
マスカラ組成物は、ヒトの睫毛及び／又は眉毛の太さ、長さ、及び総合的な審美的外観を増すために長年使用されてきた。消費者は、多くの場合、睫毛への付着力、睫毛の延長／カール、滲み又はフレーキングがないこと、太い睫毛、睫毛凝集の良好な分離などの特定の性質をそれらのマスカラ製品に期待する。特に、長く、豊かで、密度が濃く、柔らかく、分離されている睫毛が望まれることがある。一般に、マスカラは、睫毛の上に滑らかで比較的薄い（被膜厚さの）フィルムを分布し、裸の睫毛より濃く太く、適度に分離された満足のいく睫毛の配列を作り出して、目をより顕著に美しくするものである。具体的には、少なくとも一部の消費者は、睫毛をより顕著にするように睫毛のボリュームを増すマスカラを望んでいる。睫毛のボリュームを改善すると主張している様々な市販の従来のマスカラがある。そのようなマスカラは、ボリュームアップマスカラ又はボリュマイザーと呼ばれることがある。しかしながら、ボリュームを増すために、それらのボリュマイザーは比較的濃い（即ち粘稠な）組成物として配合される場合がある。場合によっては、濃い組成物を適用するために、比較的濃いボリュームアップマスカラを適用するアプリケータ（例えば、より大きいコアにする、剛毛の間の間隔を増すなど）を構成する必要があり、より小さいコアのアプリケータ又は剛毛の間隔がより近いアプリケータと比べて、睫毛の分離に適していない場合がある。
【０００３】
睫毛の分離はまた、睫毛の外観及び顕著さを改善するためにも重要であると考えられる。一部のマスカラ製品が睫毛の「凝集」を引き起こすことは周知である。凝集は、２本以上の睫毛又は睫毛の部分が互いにくっついたときに生じる。典型的には、マスカラの堆積物は、５〜１５マイクロメートルの厚さのコーティングを有する。しかし、少なくともいくつかのボリュームアップマスカラは、多過ぎる睫毛を共に凝集させてしまい、睫毛が比較的少ないように知覚される太く、比較的分離されていない見た目にする傾向がある。睫毛は目の上と下に行と列の両方で並んでいるので、いくらかの睫毛の凝集は自然に生じるものであることはよく理解されているが、睫毛の完全な分離は、達成すべき「理想の」基準である。睫毛をよく分離するマスカラであると使用者がみなすマスカラ製品は、睫毛をよく分離しないとみなされるものより少ない睫毛凝集を残す。
【０００４】
マスカラ製品の製造業者は、改善されたボリューム及び分離を提供するマスカラ製品を消費者が望んでいることを認識しており、そのような製品の設計に努めている。しかし、現在のところ、異なるマスカラ製品（例えば、製剤、アプリケータ、及びそれらの組み合わせ）を基準的方法で比較することができる、睫毛凝集を定量化するための許容され得る容易な方法はない。むしろ、マスカラ製品のほとんどの製造業者は、特定の製品が十分な睫毛分離を提供するものであるかどうかを判定するために、消費者の意見（例えば試験パネリスト）及び／又は他の定性的方法に頼っている。定性的方法は、特定の製品が所望の分離をもたらすと消費者が知覚するかどうかを判定するためには十分である場合があるが、製品モデリング／シミュレーションのためには、及び／又は、とりわけ競合製品と比較して改善された分離を主張する目的の宣伝文句の裏づけとしては、適していない場合がある。
【発明の概要】
【発明が解決しようとする課題】
【０００５】
したがって、マスカラ製品を使用したときに存在する睫毛凝集の量を定量的に判定するための方法を提供することは望ましい。
【課題を解決するための手段】
【０００６】
前述の問題の解決策を提供するために、睫毛凝集を定量的に判定するための方法を本明細書に開示する。いくつかの実施例において、この方法は、睫毛配列を含む睫毛基材を提供する工程において、各睫毛が根元と反対側の先端とによって画定された長さを有する、工程と、ある量のマスカラを睫毛に適用する工程と、マスカラが適用された睫毛の像を撮影する工程と、第１の部分に配置された各睫毛について第１の個々の太さ測定値を得るために、その像の第１の部分を分析する工程と、第２の部分に配置された各睫毛について第２の個々の太さ測定値を得るために、その像の第２の部分を分析する工程と、第１の個々の太さ測定値から第１の平均太さ測定値を得、第２の個々の太さ測定値から第２の平均太さ測定値を得る工程と、第１及び第２の重み付けされた太さ値を生成するために、第１及び第２の平均太さ測定値に重み付け関数を適用する工程と、睫毛凝集の定量的判定をもたらすために第１及び第２の平均太さ測定値から重み付けされた平均太さ値を得る工程と、を含む。
【図面の簡単な説明】
【０００７】
本特許又は出願書類は、少なくとも１枚のカラー印刷図面を収容している。カラー図面を備える、本特許又は特許出願公開の複製は、要請があれば、必要な手数料を支払うことにより、特許庁によって提供されるであろう。
【図１Ａ】マスカラが適用された睫毛基材の写真である。
【図１Ｂ】マスカラが適用された睫毛基材の写真である。
【図２】再配置テンプレートに接合された睫毛基材の写真である。
【図３Ａ】撮像リグの写真である。
【図３Ｂ】撮像リグの写真である。
【図３Ｃ】撮像リグの写真である。
【図４Ａ】非整合像のスクリーンショットである。
【図４Ｂ】整合像のスクリーンショットである。
【図５Ａ】再配置テンプレートに接合された睫毛基材を撮影して得た像である。
【図５Ｂ】トリミングして二進像に変換した後の５Ａの撮影像を示す。
【図５Ｃ】像解析ソフトウェアによってバーコード像に変換した後の５Ｂの撮影像のスライスを示す。
【図６】多様なマスカラに関しての、第１から第３ストロークまでのＷ．Ａ．Ｔ．値における変化を示す。
【図７Ａ】成形プラスチックブラシでマスカラを適用後の被験者の睫毛を示す写真である。
【図７Ｂ】成形プラスチックブラシでマスカラを適用後の被験者の睫毛を示す写真である。
【図８Ａ】撚り線ワイヤブラシでマスカラを適用後の被験者の睫毛を示す写真である。
【図８Ｂ】撚り線ワイヤブラシでマスカラを適用後の被験者の睫毛を示す写真である。
【図９Ａ】成形プラスチックブラシでマスカラを適用してから２４時間後の被験者の睫毛を示す写真である。
【図９Ｂ】成形プラスチックブラシでマスカラを適用してから２４時間後の被験者の睫毛を示す写真である。
【図１０Ａ】撚り線ワイヤブラシでマスカラを適用してから２４時間後の被験者の睫毛を示す写真である。
【図１０Ｂ】撚り線ワイヤブラシでマスカラを適用してから２４時間後の被験者の睫毛を示す写真である。
【発明を実施するための形態】
【０００８】
全ての百分率は、特に記載のない限り、パーソナルケア組成物の重量による。全ての比率は、特に記述のない限り、重量比である。全ての数値範囲は、より狭い範囲及び上並びに下の範囲限界を包含する。区切られた上下の範囲限界は互換性があり、明示的に区切られていない更なる範囲を作る。有効数字の数は、指示されている量を限定するものでもなく、測定の精度を限定するものでもない。全ての測定は、約２５℃及び周囲条件で行われると理解され、ここで「周囲条件」とは、約１気圧及び相対湿度約５０％という条件を意味する。
【０００９】
以下の開示は、本発明の方法を睫毛及びマスカラの適用から生じる凝集という観点で説明する場合があるが、当業者は、任意の繊維状材料の凝集を定量的に判定するために非常に有利に本発明の方法を実践することができることを理解されたい。
【００１０】
用語の定義
「凝集」及びその変化形は、互いに接合された２本以上の睫毛又は睫毛部分を意味する。
【００１１】
「接合された」は、ある要素を他方の要素に直接固着することによって、その要素が別の要素に直接固定された構成を意味する。例えば、２本以上の睫毛がマスカラによって互いに接合されて凝集を形成する場合がある。
【００１２】
「ケラチン性組織」は、毛髪を含むが毛髪に限定されない哺乳類の最も外側の保護被覆として配置されているケラチン含有組織層を意味する。
【００１３】
「マスカラ」及び「マスカラ組成物」は、例えば、色の変化、ボリュームの変化、及び／又は長さの変化の現れなどのような外観における審美的利点又は変化を提供するために、睫毛に適用される液体化粧品組成物を意味する。マスカラは瞼及び／又は眉毛にも適用される場合がある。当該マスカラ組成物は、哺乳類のケラチン性組織に局所適用される化粧品における使用のために配合されている。また、マスカラ組成物の使用方法も、マスカラ組成物の意味に含まれる。
【００１４】
重み付けされた平均太さ（Ｗ．Ａ．Ｔ．）試験
処方とブラシ（例えば、ブラシの大きさ及び／又は剛毛の構成）の組み合わせに依存して、マスカラによる睫毛の被覆には差がある傾向がある。一部のマスカラは、最初にブラシを睫毛と接触させたときに睫毛の根元に落とされ、少量のマスカラのみが睫毛の軸に沿って睫毛の先端まで移動される。これにより、睫毛の根元と睫毛の先端とで太さの増し方が異なるという望ましくない結果がもたらされる場合がある。即ち、一部のユーザーが望むようなボリューム効果が、睫毛に沿って均等に分布されていないように見える場合がある。場合によっては、マスカラブラシは、瞼の縁の近くに配置されている睫毛よりも瞼の中央部の近くに配置されている睫毛を被覆するのにより効果的である場合がある。これは、ブラシがそのコアの全長に沿ってマスカラを保持する能力に依存する場合がある。マスカラをコアの中央に載せるが先端部に載せないマスカラブラシは、睫毛の配列の一端からもう一方の端までにむらのある被覆をもたらすであろう。したがって、マスカラの性能を正確に描き出すためには、全ての睫毛に対して睫毛の太さの変化という観点からマスカラの堆積を測定することは重要である。
【００１５】
好適なマスカラ製品は、マスカラ製品の主要な欠陥の仕組みとして消費者に一般に知覚されている望ましくない凝集を伴わずに、良好な睫毛分離をもたらすべきである。マスカラに関係する凝集は、一般には、マスカラ製品によって個々の睫毛が一緒にくっついて凝集を形成したときに生じる。睫毛の根元の凝集は、一部の消費者には許容され得る場合があるが、それ以外の部分での睫毛の凝集、特に先端部での凝集は、一般に許容されない。分離とは、その名が表しているように、マスカラ製品に望まれる長さ、カール、及び／又はボリュームの美的利益を呈するように一本一本の睫毛が認識可能であるという消費者による知覚である。したがって、マスカラ製品が睫毛の根元にいくらかの凝集を引き起こしても、良好な分離があるならば、許容可能な美的利益はなお得られる場合がある。
【００１６】
図１Ａ及び１Ｂは、マスカラの使用に関係する凝集の影響を示す。図１Ａの人工睫毛には、撚り線ワイヤブラシでマスカラ組成物を適用した。図１Ｂに示す人工睫毛には、同じマスカラ組成物を成形プラスチックブラシで適用した。図１Ａの睫毛は、図１Ｂに示されている睫毛と比較して改善された分離及びより少ない凝集を呈している。
【００１７】
本明細書に記載のＷ．Ａ．Ｔ．試験は、典型的なヒトの睫毛へのマスカラ組成物の適用の効果を再現し、睫毛への特定の定性的なマスカラの効果を定量化するための方法を提供する。具体的には、Ｗ．Ａ．Ｔ．試験を使用して、典型的なヒトの睫毛へのマスカラの適用に関連付けられる凝集特性を定量化することができる。Ｗ．Ａ．Ｔ．値は、好適な睫毛基材に１回以上（例えば、１、２、３、４、５、６、７、８、９又は１０回）のストロークでマスカラを適用した後に判定することができる。理論による限定はせず、５回のストロークは「美的最終状態」に対応するものであるので、特に興味が持たれる。即ち、典型的なマスカラユーザーは、マスカラを適用するとき、睫毛の長さに沿ってアプリケータを５回移動すると考えられる。しかしながら、マスカラ製剤の凝集性を評価するとき、特にマスカラを「睫毛に落としてから整える」ような使い方に関しては、「１ストローク及び３ストローク、又はその他の回数のストロークでのＷ．Ａ．Ｔ．値もまた有用である場合がある。睫毛に落としてから整えるとは、通常、ある量のマスカラを最初のストロークで睫毛に適用し（「落とし」）、その後のストロークを使って、例えば、マスカラを睫毛の長さに沿って均一に塗り広げることによって、望ましい見た目を得る（「整える」）ことを意味する。マスカラを睫毛に落とすことは、典型的には高い凝集をもたらし、その後に整えることは、望ましくない凝集をマスカラとブラシの組み合わせがどこまで減らすかを理解するために重要である。換言すると、マスカラを睫毛に落としてから凝集を整えたときのマスカラ製品のプロファイルを生成することが可能であり、したがって、凝集に基づいて製品を差別化することが可能である。具体的には、１回目のストロークと３回目のストロークの間、１回目と５回目のストロークの間、又は更には３回目と５回目のストロークの間のＷ．Ａ．Ｔ．値の変化は、マスカラ製品の凝集特性の重要な指示を提供することができる。
【００１８】
Ｗ．Ａ．Ｔ．試験は、定量的に凝集を判定するために睫毛基材を使用する。睫毛基材は、典型的なヒトの睫毛の太さ及び長さを代表する複数の睫毛を含むべきである（例えば、ヒトの天然毛で作られたＡｒｄｅｌｌ  １０９商標のＦａｓｈｉｏｎ  Ｌａｓｈｅｓ）。本明細書では人工睫毛基材が例示されるが、当該方法は、マスカラが塗られた生体の睫毛のＷ．Ａ．Ｔ．値の判定もまた企図することを理解されたい。睫毛基材は、試験中に必要に応じて適切に再配置することができる剛性支持体に固定することができる。剛性支持体に固定した後、睫毛基材の睫毛にマスカラを好適なアプリケータで堆積することができる。マスカラの堆積前及び堆積後の睫毛の像を得ることができる。次元解析のために、裸の（即ち、マスカラが適用される前の）睫毛の像をテンプレートとして使用して、マスカラ含有睫毛と比較することができる。像を得るには、適切なカメラを使用して睫毛の像を撮影することが望ましい場合がある。適切なカメラの非限定的な例としては、７メガピクセル以上の解像度を有するデジタル一眼レフ（「ＤＳＬＲ」）カメラが挙げられる。特に好適なカメラ１６４０の例は、１０５ｍｍのマクロレンズが備わったＮｉｋｏｎ  Ｄ９０  ＳＬＲ商標のカメラである。像を撮影したら、コンピュータに像を転送し、例えばオープンソースのＪａｖａベースの像解析プログラムであるＩｍａｇｅＪのような適切な像解析ソフトウェアを用いて像解析を行うことができる。像解析ソフトウェアを使用して、像をより使用可能な形態に修正し、像から関連データを得ることができる。そのようにして得たデータを出力し、ＭＩＣＲＯＳＯＦＴ  ＥＸＣＥＬのようなプログラム可能なデータ解析ソフトウェアによって更に解析する。データ解析ソフトウェアを使用して、睫毛の配列のＷ．Ａ．Ｔ．値及び他の特性を判定することができる。
【００１９】
以下の説明及び付属の図を使用して、Ｗ．Ａ．Ｔ．値を判定するために使用される方法を例示する。本明細書に記載の方法はそのような例に限定されず、当業者の技術の範囲内の修正を含み得る他の実施形態も企図されることを理解されたい。
【００２０】
図２は、再配置テンプレート１５２０に貼付された個々の睫毛の配列を含む睫毛基材１５１０の撮影された像１５００を示す。図２を参照すると、４ｃｍ×４ｃｍに切断された白紙又はカード材料から作られた再配置テンプレート１５２０に、きれいな損なわれていない睫毛基材１５１０（即ち、曲げられていない又は変形されていない睫毛）が付着されている。再配置テンプレート１５２０は、自然に円弧状に曲がっている場合に対して、睫毛基材１５１０の根元１５７０を確実に実質的に真っ直ぐにするのを助けるために使用されている。したがって、図２の矢印１５４０が示すように、解析のために、睫毛基材１５１０の睫毛は全てが実質的に同じ方向を指すべきである。図２に示すように、再配置テンプレート１５２０の外側の各縁１５６０から１ｃｍのところに（例えば適切な黒のマーカー又はペンで）黒のトラムライン１５５０が提供される。トラムライン１５５０は、睫毛の配列の隙間のちょうど内側に位置づけられ、以下に詳述するゴーストソフトウェアのためのアンカーポイントとして作用する。
【００２１】
睫毛基材１５１０が再配置テンプレート１５２０に付着されている状態で、睫毛へのマスカラの載りの効果及びマスカラの堆積効率（即ち、凝集を作らずに睫毛毎の物理的ボリュームを築く）を示すために、１ストローク、３ストローク、５ストローク（又は例えば６、７、８、９、又は１０など任意のストローク数）の一定用量パターンで睫毛にマスカラを適用する。睫毛基材１５１０の全ての睫毛と接触させるために、各ストロークは典型的には２回のブラシ／睫毛相互作用又は「スワイプ」を必要とする（左側からのスワイプ１回と右側からのスワイプ１回）。ストロークは、マスカラアプリケータを睫毛の根元１５７０に接触させることから始めて、ブラシを睫毛の長さに沿って先端１５３０まで動かすことによって行うべきである。１回、３回及び５回のストロークデータは、マスカラを適用するときに消費者が一般に使用するストローク数に対応するので、ユーザーの満足度の判定のために特に重要であると考えられる。特に好適な例では、マスカラは、機械によって又は機械を操作する人によってではなく、人によって直接睫毛に適用される。
【００２２】
マスカラを得るには、ブラシとワンドを直接外方に（即ち、パックを「ポンプ」せずに）引くことによってマスカラパッケージから慎重にマスカラアプリケータを取り出し、ブラシの先端部にあるマスカラの塊を（例えばティッシュを使って）全て取り去る。自分から離れる方向に下方４５度の角度を睫毛が指すように、テンプレート１５２０の縁を保持する。睫毛基材１５１０の根元１５７０に近接している睫毛に垂直にブラシを保持する。根元１５７０で睫毛にマスカラブラシを接触させ、睫毛の先端１５３０に向かう連続した均等な運動で睫毛１５３０の長さに沿ってブラシを動かす。根元１５７０から先端１５３０まで約１〜２秒かけてブラシを睫毛の長さに沿って移動するべきである。適用中、ブラシが睫毛の先端１５３０に達する際にブラシを４分の１回転させてもよい。睫毛基材１５１０の左側及び右側の両方に対して適用プロセスを行う。１回目の後の各ストロークについては、アプリケータブラシに追加の製品を加えない。更に、適用中、適用圧力を増す又は適用速度を変えるようなやり方で睫毛に沿ってブラシを転がす若しくは傾けるべきではない。
【００２３】
図３Ａは、解析のための睫毛基材の像を撮影するために使用するのに好適な例示の撮像リグ１６００を示す。撮像リグ１６００は、睫毛基材１６１０と組み合わされた再配置テンプレート１６２０を支えるために好適な剛性の水平表面１６８０を含む。撮像リグ１６００はまた、１つ以上のライト１６３０及び、ターゲットイメージエリア１６２５の像を撮影するように位置づけられたカメラ１６４０も含む。ターゲットイメージエリア１６２５は、再配置テンプレート１６２０及び睫毛基材１６１０を完全に含む大きさでなくてはならず、カメラ１６４０がターゲットイメージエリア１６２５全体の像を撮影することができるように制御された照明／カメラ設定内に位置づける必要がある。
【００２４】
図３Ｂに図示したように、睫毛基材１６１０を含む再配置テンプレート１６２０は、張線器１６１５で撮像リグ１６００の水平表面１６８０に固定される。再配置テンプレート１６２０及び睫毛基材１６１０の両方をターゲットイメージエリア１６２５に位置づける。図３Ｃは、撮像リグ１６００の水平表面１６８０に固定された再配置テンプレート１６２０の拡大図である。後の像解析のために十分な解像度でカメラ１６４０が像を確実に撮影するのを助けるために、カメラ１６４０のレンズが再配置テンプレート１６２０及び睫毛基材１６１０の２５〜７５ｃｍ上（例えば、３５〜６５ｃｍ、４０〜６０ｃｍ、又は約５０ｃｍ）になるようにカメラ１６４０を配置することができる。更に、十分な照明を提供するために、再配置テンプレート１６２０のいずれかの側にライト１６３０を位置づけることが好ましい場合がある。カメラ１６４０の露出時間、アパーチャ、及び／又はＩＳＯは、像解析ソフトウェアによる解析のために好適な像を撮影するように設定すべきである（例えば、露出時間／シャッタースピードを０．２５秒に設定し、アパーチャを３２に設定し、ＩＳＯを２００に設定する）。場合によっては手動焦点合わせを含めて、好適な像を撮影するようにカメラ１６４０を構成したら、像標的区域１６２５の写真を撮影する。
【００２５】
場合によっては、裸の睫毛基材（即ちマスカラのないもの）の像を、単独で、又はゴースト像として使用するために再配置テンプレートと組み合わせて、撮影することが望ましい場合がある。そのような場合、カメラ１６４０は、ＤＳＬＲタイプのカメラに通常ついてくる撮像ソフトウェアプログラムである「ゴースト技術」を含むべきである。ゴースト機能は、ユーザーが像を撮影し、それを基準ガイド（即ち「ゴースト像」）として設定することを可能にする。ゴースト像は「ライブ」の像（即ち、現在見ている／解析している撮影された像）の背景として開くことができ、ユーザーがゴースト像に対してライブ像を再配置することを可能にするので、これは重要なことである。例えば、ライブ像を撮影し、コンピュータに表示したときに、ユーザーはゴースト機能を使用してライブ像をゴースト像の上に重ね合わせ、ライブ像をゴースト像と整合することができる。図４Ａは、重ね合わされているが整合されていないゴースト像４１０とライブ像４２０を示す。図４Ｂは、整合されたゴースト像とライブ像を示す。
【００２６】
像解析ソフトウェアを使用して、図２からの撮影された像１５００をトリミングして、図５Ａに示すようにトリミングされた像１７２０を提供することができる。図５Ａに図示されている像は、像から再配置テンプレートを削除するようにトリミングされているが、像を所望の任意の寸法にトリミングすることができることを理解されたい。具体的には、ライブ像をゴースト像の上に配置し、ゴースト像の寸法と一致するようにトリミングすることができる。像の解像度（即ち１センチメートル当たりの画素数）は、カメラの解像度及び／又は像解析ソフトウェアに依存して異なる場合がある。本明細書に開示の方法のための測定を標準化するために、空間的較正測定を行い、１画素＝１０．４マイクロメートルとなるように像を較正すべきである。以下において使用するとき、１画素は１０．４マイクロメートルと等価である。多くのデジタルカメラは、像撮影時に直接に較正する能力を有する。空間的較正は、特定の像解析ソフトウェアを使用して、像撮影後にも行うことができる。
【００２７】
像解析ソフトウェアを再び使用して、図５Ｂに示すように、トリミングされた像１７２０を二進像１７３０（即ち白黒）に変換する。次いで、図５Ｃに示すように、像解析ソフトウェアにより二進像１７３０を「スライス」してバーコード像１７４０にする。換言すると、像解析ソフトウェアは、線１７３２及び１７３４のような睫毛の配列を横切って描かれた想像上の線に沿ってデータを収集する。既定の間隔で、睫毛の配列の全て及び／又は一部分を横切る任意の数の想像上の線１７３２及び１７３４を提供することができる。例えば、睫毛の全長に沿って一定の間隔で全ての睫毛の配列を横切る想像上の線を描くように像解析ソフトウェアを設定することができる（即ち、睫毛の根元で始めて先端で終わる）。バーコード像は１〜５画素（例えば、１、２、３、４又は５）の高さ（即ち線の太さ）を有することができる。１画素の高さが特に好適である。その高さが５画素を超えないことが重要であり、さもないと、解析の感度が鈍過ぎて、睫毛の長さに沿ってスキャンが進むにつれて太さの差を適切に抽出することができなくなる場合がある。更に、５画素を超える高さを使用すると、データポイントが少なくなり、それによって合計スキャンの平均値の精度が下がり、異なるマスカラ製品の凝集の影響をどこまで正確に互いから区別することができるかが制限される。像解析ソフトウェアによって収集されたデータのスライスは、睫毛の長さに沿って離間配置され得る。例えば、データのスライスは、ある解像度で１〜１０画素（例えば、２、３、４、５、６、７、８、又は９）分離させることができる。１０画素間隔でデータのスライスを収集することは特に好適である。１０画素を超える間隔でデータスライスを分離すると、情報の主要エリアが欠ける場合があり、解析の感度が鈍くなる場合があることがわかっている。しかしながら、驚くべきことに、１０画素以下でデータスライスを分離することは感度を顕著に改善しないようである。場合によっては、睫毛の配列の全て又は一部の非線状部分を解析するように像解析ソフトウェアを構成することができる。例えば、睫毛の配列を、（端から端まで見たときの）睫毛基材の真ん中を含む第１部分と、睫毛基材の一方の端部に配置された睫毛を含む第２部分と、その反対の睫毛基材の端に配置された睫毛を含む第３部分とに分ける。そのようにして、睫毛の真ん中に生じる凝集を、縁部で生じる凝集と比較することができる。
【００２８】
各データスライス（即ちバーコード像）を、像解析ソフトウェアによって、黒の領域の数、及び黒の領域のそれぞれの画素単位での太さについて解析し、データ解析プログラムに出力し、更に処理する。プログラム可能なデータ解析ソフトウェアは、出力データを操作して、各バーコード像の平均太さ測定値を生成する。変化のない睫毛（例えば、未処置のときと同じ太さを有する睫毛）は、平均太さ測定値の計算に含めない。変化のない睫毛は、２３．７５画素未満の太さの睫毛と定義する。人毛１００％で作られた人工睫毛の広範なサンプルの測定値に基づいて、これらの睫毛の太さは一般に２３．７５画素未満であることが見出された。したがって、重み付け関数は、２３．７５を超える太さの睫毛のみに適用する。２３．７５画素を超える睫毛は、以下の重み付け関数によって漸進的に重み付けすることができる。
Ｙ＝０．０６７５ｘ2−２３．７５ｘ＋２２５
（式中、
Ｙ＝バーコード像の重み付けされた太さ
ｘ＝バーコード像の黒の領域の太さ平均値
【００２９】
睫毛基材のＷ．Ａ．Ｔ．値は、個々の重み付けされた太さ値を平均することにより算出する。この手順を更に２回繰り返し、３つのＷ．Ａ．Ｔ．値の平均値を算出して、Ｗ．Ａ．Ｔ．平均値を得ることができる。Ｗ．Ａ．Ｔ．値が大きいほど凝集レベルは高く、したがって、消費者の知覚又は評価はより低くなる。したがって、小さい凝集より大きい凝集に高い重み付けを与えるので、１つの大きい凝集は、より小さい２つの凝集より高いＷ．Ａ．Ｔ．値を与えることになる。消費者はいくつかの小さい凝集より１つの大きい凝集を低く評価するので、このことは重要である。
【実施例】
【００３０】
様々なマスカラの凝集効果を比較するために、いくつかの従来の数日／長期着用マスカラ及び睫毛染みを試験した。表１は、試験したマスカラの名前及びコードと、１ストローク、３ストローク、及び５ストロークでのＷ．Ａ．Ｔ．平均値を示す。比較する各マスカラを適用するために使用するブラシは、市販の製品とともに販売されているブラシである。ブラシの概要を表１に示す。同時係属特許である米国仮特許第６１／４８７，１４９号に記載されている半永久マスカラ組成物である試作品０３６をゴムブラシ及び撚り線ワイヤブラシで適用して、凝集効果の低減を実証した。ゴムブラシは、ＧＥＫＡ，ＧｍｂＨから入手可能なＳｈａｐｅ  ４の成形プラスチックブラシである。撚り線ワイヤブラシは、Ａｌｃａｎ  Ｐａｃｋａｇｉｎｇ  Ｂｅａｕｔｙ  Ｓｅｒｖｉｃｅｓ（フランス）から入手可能な２０００  Ｃａｌｏｒｉｅ商標の撚り線ワイヤブラシである。試験したマスカラは、Ｃｌｉｎｉｑｕｅ（登録商標）Ｌａｓｈ  Ｐｏｗｅｒ（登録商標）マスカラ、Ｃｌｉｎｉｑｕｅ（登録商標）Ｈｉｇｈ  Ｉｍｐａｃｔ  Ｃｕｒｌｉｎｇ（商標）マスカラ、Ｔａｒｔｅ（登録商標）４  ｄａｙ（商標）の睫毛染めマスカラ、Ｍａｘ  Ｆａｃｔｏｒ（登録商標）Ｆａｌｓｅ  Ｌａｓｈ  Ｅｆｆｅｃｔ  ２４（登録商標）マスカラ、Ｍａｙｂｅｌｌｉｎｅ（登録商標）Ｄｅｆｉｎｅ−ａ−Ｌａｓｈ（登録商標）の耐水マスカラ、Ｍａｙｂｅｌｌｉｎｅ（登録商標）Ｖｏｌｕｍｅ’Ｅｘｐｒｅｓｓ（登録商標）Ｆａｌｓｉｅｓ（登録商標）の耐水マスカラ、Ｌｏｒａｃ（登録商標）３  ｄａｙ商標のマスカラ、Ｓａｎｔｏｐｒｅｎｅ（登録商標）マスカラ、Ｈａｒｄ  Ｃａｎｄｙ（登録商標）マスカラ、及びＬ’Ｏｒｅａｌ（登録商標）Ｂｅａｕｔｙ  Ｔｕｂｅｓ（商標）である。凝集レベルは、上述のＷ．Ａ．Ｔ．試験にしたがって判定した。
【００３１】
【表１】
2015519954.tif 000003
【００３２】
表１に示すように、Ｗ．Ａ．Ｔ．試験を用いてマスカラ製品の凝集効果を定量的に判定することができる。撚り線ワイヤブラシと組み合わせて使用したときの試作品０３６は、美的最終状態（即ち５回目のストローク）で、より優れた耐凝集性を提供する。更に、図６に示すように、試験したサンプルのうち、撚り線ワイヤブラシと組み合わせた試作品０３６は、１回目のストロークから３回目のストロークまで（「睫毛に落としてから整える」プロファイルとも呼ばれる場合がある）で正の値を呈した唯一のサンプルである。即ち、１回目のストロークのＷ．Ａ．Ｔ．値は３回目のストロークのＷ．Ａ．Ｔ．値より大きく、このことは、１回目のストロークから３回目のストロークまでに凝集が低減することを示している。表１に示すＷ．Ａ．Ｔ．値は、凝集の定量的判定に対応する。
【００３３】
消費者試験
マスカラ組成物の視覚的な着用利点を評価するために、好適な撚り線ワイヤブラシを用いて適用した場合と、成形プラスチックブラシを用いて同じ製品を適用した場合とを比較する試験を行った。この消費者試験に使用した撚り線ワイヤブラシは、Ｃｏｖｅｒ  Ｇｉｒｌ（登録商標）Ｐｒｏｆｅｓｓｉｏｎａｌ  Ｓｕｐｅｒ  Ｔｈｉｃｋ  Ｌａｓｈ商標のマスカラ製品として市販されているものである。アプリケータの撚り線ワイヤコアのそれぞれのワイヤは、０．７０ｍｍのワイヤ直径、２５．４±１．５２ｍｍのブラシヘッド長、６００±３０の中空の剛毛を有し、撚り線ワイヤコアは１８±１回転を有する。この成形プラスチックブラシは、ＧＥＫＡ  ＧｍｂＨ（ドイツ、Ｂｅｃｈｈｏｆｅｎ）から入手可能なＳｈａｐｅ  ＩＶの成形プラスチックブラシである。このプラスチック成形ブラシは、２．２８±１ｍｍのコア直径、２５．６±０．３ｍｍのブラシ長、最大ブラシ直径７．７５±０．２５ｍｍ、及び２２８本の剛毛を有する。
【００３４】
マスカラの適用前に、撮像中の動きを最小限にするために固定したリグを用いて、きれいな裸の睫毛（ベースライン）を撮像した。その像撮影に関して、眉骨に対して上睫毛の全弧が見えるように上を見るようにパネリストに指示した。次いで、それらが所望の最終的な見た目を得るまでマスカラを適用するようにパネリストに指示した。像は、マスカラの適用の直後及び２４時間後（２日目の始まり）に撮像した。Ｆｕｊｉｆｉｌｍ  ＦｉｎｅＰｉｘ  Ｓ１Ｐｒｏ（商標）のカメラで、１０５ｍｍの焦点距離で外部フラッシュを用いて撮像した。ブラシのタイプ（Ｓｈａｐｅ  ＩＶ及び撚り線ワイヤブラシ）を各パネリストで同時に試験した（１つの眼につき１つのブラシ）。各ブラシでの適用順序及び左目か右目かは無作為化した。消費者試験から得た定性的結果（即ち、どのマスカラ製品が最も多く凝集を引き起こすか）は、Ｗ．Ａ．Ｔ．試験を用いた凝集の定量的判定を裏付けている。
【００３５】
図７Ａ〜１０Ｂは、消費者試験中に観察された分離の差を示す。図７Ａは、成形プラスチックブラシでマスカラを適用した直後の睫毛を示す。図７Ｂは、図７Ａの睫毛の拡大図である。図８Ａは、撚り線ワイヤブラシでマスカラを適用した直後の睫毛を示す。図８Ｂは、図８Ｂの睫毛の拡大図である。図９Ａは、成形プラスチックブラシでマスカラを適用してから２４時間後の睫毛を示す。図９Ｂは、図９Ａの睫毛の拡大図である。図１０Ａは、撚り線ワイヤブラシでマスカラを適用してから２４時間後の睫毛を示す。図１０Ｂは、図１０Ａの睫毛の拡大図である。
【００３６】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示した寸法は、「約４０ｍｍ」を意味することを意図したものである。更に、本明細書に記載される特性は、１つ又は２つ以上の範囲の値を含み得る。当然のことながら、これらの値は、範囲内の個々の値が特に開示されていない場合でも範囲内の全ての値を包含するということが理解されるべきである。
【００３７】
相互参照されるか又は関連するすべての特許又は特許出願、及び本願が優先権又はその利益を主張する任意の特許出願又は特許を含む、本願に引用されるすべての文書を、特に除外すること又は限定することを明言しないかぎりにおいて、参照することによってその全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００３８】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１Ａ】
2015519954.tif 000004
【図１Ｂ】
2015519954.tif 000005
【図２】
2015519954.tif 000006
【図３Ａ】
2015519954.tif 000007
【図３Ｂ】
2015519954.tif 000008
【図３Ｃ】
2015519954.tif 000009
【図４Ａ】
2015519954.tif 000010
【図４Ｂ】
2015519954.tif 000011
【図５Ａ】
2015519954.tif 000012
【図５Ｂ】
2015519954.tif 000013
【図５Ｃ】
2015519954.tif 000014
【図６】
2015519954.tif 000015
【図７Ａ】
2015519954.tif 000016
【図７Ｂ】
2015519954.tif 000017
【図８Ａ】
2015519954.tif 000018
【図８Ｂ】
2015519954.tif 000019
【図９Ａ】
2015519954.tif 000020
【図９Ｂ】
2015519954.tif 000021
【図１０Ａ】
2015519954.tif 000022
【図１０Ｂ】
2015519954.tif 000023
【国際調査報告】
2015519954.tif 000024
2015519954.tif 000025